(57)【特許請求の範囲】
【請求項１】
建物の外壁と当該外壁の外側に立設された支柱との間に形成される歩行可能な機能空間を有するとともに、この機能空間に設けられたルーバーを含んで構成され、前記外壁には外側に向けてブラケットが突設され、このブラケットに前記支柱が立設され、水平方向に間隔を空けて設けられたブラケット間の空間が前記歩行可能な機能空間とされ、かつ前記ルーバーの取付軸は、水平方向に間隔を空けて立設された二本の前記支柱よりも前記機能空間側にはみ出ない位置で支持されているルーバーシステム。
【請求項２】
請求項１に記載のルーバーシステムにおいて、前記ルーバーは少なくとも鉛直方向に複数段設けられ、これらのルーバーが連動して回動するように構成されているルーバーシステム。
【請求項３】
請求項１または請求項２に記載のルーバーシステムにおいて、前記ルーバーは少なくとも鉛直方向に複数段設けられて回動自在とされ、これらのルーバーで前記機能空間を建物の内外方向に遮蔽可能に構成されているルーバーシステム。
【請求項４】
請求項３に記載のルーバーシステムにおいて、前記複数段のルーバーのうちの少なくとも一部のルーバーを構成するパネル体には、略全域にわたって透光性が付与されているルーバーシステム。
【請求項５】
請求項１〜４のいずれかに記載のルーバーシステムにおいて、前記ルーバーは少なくとも前記外壁に設けられた開口部への日射を遮る位置に設けられているルーバーシステム。
【請求項６】
請求項１〜５のいずれかに記載のルーバーシステムにおいて、前記建物内からの眺望を妨げない位置には太陽電池パネルが設けられているルーバーシステム。
【発明の詳細な説明】
【０００１】
【発明の属する技術分野】
本発明は、ルーバーシステムに係り、特にビル等のペリメーターゾーン（外周部分）に設けられて建物内への日射量を調整するルーバーシステムに関する。
【０００２】
【背景技術】
近年、カーテンウォール等からなるビルの外壁の外側に様々な機能を有する機能空間を設け、この機能空間を利用して建物の遮光性、遮音性、断熱性（ペリメーターゾーンの熱環境のコントロール）、あるいは外壁のメンテナンス性を高めることが提案されている。
【０００３】
そのような空間に付与される機能のうち、例えばメンテナンス性については、外壁の各階に対応した位置にキャットウォークと呼ばれる歩行可能な作業エリアを設けることで実現可能であり、外壁の補修作業や外壁に組み込まれたガラス窓の清掃が容易に行われるようになる。
また、他の機能としては、空間内に日除け用のルーバーを設け、建物内への日射をコントロールして遮光性を向上させることも考えられる。
【０００４】
【発明が解決しようとする課題】
しかし、機能空間を利用してルーバーを設ける場合、ルーバーの取付軸を支持するブラケット等の多くの構成部材が空間内に配置されると、例えば前述の作業エリアが狭くなって作業性が悪化するという問題が生じる。
【０００５】
また、ルーバー自身についても、実際に製作するにあたっては、より安価なものが求められ、コストの削減を図る必要がある。
【０００６】
本発明の目的は、機能空間の本来の広さを確保できるルーバーシステムを提供することにある。
【０００７】
【課題を解決するための手段】
本発明のルーバーシステムは、建物の外壁と当該外壁の外側に立設された支柱との間に形成される歩行可能な機能空間を有するとともに、この機能空間に設けられたルーバーを含んで構成され、外壁には外側に向けてブラケットを突設し、このブラケットに支柱を立設し、水平方向に間隔を空けて設けられたブラケット間の空間を前記歩行可能な機能空間とし、かつルーバーの取付軸を、水平方向に間隔を空けて立設された二本の支柱よりも機能空間側にはみ出ない位置で支持することを特徴とするものである。
【０００８】
このような本発明においては、ルーバーの取付軸を各支柱の出入り方向（建物の内外方向）の寸法内に支持させたり、支柱から外側に張り出したブラケット等に支持させることにより、その取付軸を機能空間内に出ないようにするため、機能空間内には取付軸を支持するための多くの構成部材を配置する必要がなくなり、機能空間本来の広さが確保されるようになる。これにより、前記第１の目的が達成される。
【０００９】
以上において、ルーバーとしては、鉛直方向に複数段または水平方向に複数並設するとともに、各ルーバーを連動して回動させてもよい。
【００１０】
また、本発明のルーバーシステムでは、ルーバーを少なくとも鉛直方向に複数段設け、これらのルーバーで機能空間を建物の内外方向に遮蔽してもよい。
このような場合には、各ルーバーを全閉状態にして機能空間を遮蔽すれば、それらのルーバーによって外壁の外側に別の外壁が形成されることになり、いわゆるダブルスキン構造が実現可能になる。
【００１１】
この際、複数段のルーバーのうちの少なくとも一部のルーバーを構成するパネル体に略全域にわたって透光性を付与することが好ましい。
このような場合には、透光性が付与されたルーバー（パネル体）を例えば建物のガラス開口部等からなるビジョン部、すなわち建物内から外側を眺望できる部分に配置することにより、ダブルスキン構造とした場合でも視界が確実に確保されるようになる。
【００１２】
さらに、本発明のルーバーシステムでは、ルーバーを外壁のガラス開口部等への日射を遮る位置に設ける他、建物内からの眺望を妨げない位置に太陽電池パネルを取り付けてもよい。
【００１６】
【発明の実施の形態】
以下、本発明の各実施形態を図面に基づいて説明する。
〔第１実施形態〕
図１は、本発明の第１実施形態に係るルーバーシステム１を示す全体斜視図、図２は、その縦断面図、図３は、ルーバーシステム１を建物Ａ側から見た斜視図である。
【００１７】
ルーバーシステム１は、建物Ａの外側に形成された機能空間１０に複数のルーバー２０を備えた構成である。
建物Ａの外壁Ｂであって、各階の図示しない床（天井）スラブに対応した位置には、外側に向けてブラケット１１が突設されている。また、水平方向に間隔を空けて突設されたブラケット１１間にはグレーチング１２が架設され、上下のブラケット１１には支柱１３が立設支持されている。そして、上下のグレーチング１２、外壁Ｂ、および支柱１３で区画された領域で前記機能空間１０が形成されている。
【００１８】
このような機能空間１０では、グレーチング１２上が歩行可能ないわゆるキャットウォークになっており、この場所を利用して外壁Ｂの補修や清掃など、種々の作業が行えるようになっている。
ここで、外壁Ｂはカーテンウォールで形成されており、各階においては、上部側が上階の床スラブを覆うアルミパネル等が配置されたスパンドレル部Ｃとされ、その下方からフロアレベルまでがガラス開口等からなるビジョン部Ｄになっている。
【００１９】
ルーバー２０は、斜め上方からビジョン部Ｄを通って建物Ａ内へ入りむ日射のを遮るものであり、ビジョン部Ｄの上部側に回動自在に配置されているとともに、支柱１３間毎に鉛直方向に３段設けられている。また、ルーバー２０がビジョン部Ｄの上方側に設けられることで、その下方側では、建物Ａ内からの眺望が確保されている。なお、床スラブから立ち上がった腰壁Ｅ（図２中の一点鎖線）を設けてスパンドレル部Ｃを大きくすることにより、日射角度が小さい時でも建物Ａ内への日射を完全に遮るように構成してもよい。
【００２０】
このようなルーバー２０は、例えば熱線反射ガラスや、ガラスの表面に粉体セラミック等が含まれた塗料を間隔を空けて線状に印刷したもの、あるいはパンチングメタル、アルミパネルなど、熱線や日射そのものを遮るのに用いられるパネル体２１を備えている。このパネル体２１は、図４中の２点鎖線で示すように、矩形状であり、対向する長辺側の辺縁の一部分が三本の支持部材２２で支持され、各支持部材２２が取付軸としての軸材２３に固定されている。
【００２１】
支持部材２２は、例えばアルミの鋳物からなる弓形状の部材であり、その両端側には、図５に示すように、パネル体２１を載置する載置部２４が設けられている。この載置部２４の外側（パネル体２１が載置される箇所から外れた位置）にはボルト穴２５を有する螺合部２６が設けられ、螺合部２６の鉛直面でパネル体２１の長辺側の端面が受けられるようになっている。そして、螺合部２６のボルト穴２５周りは縁部分よりも一段高い非円形の凸部２６Ａとなっており、この凸部２６Ａ側から挟持部材２７がボルト２８で固定されるようになっている。
【００２２】
挟持部材２７は、支持部材２２との間でパネル体２１を挟持するための部材であり、同様にアルミ製とされている。挟持部材２７には螺合部２６の凸部２６Ａと対応した位置に凹部２７Ａが設けられ、この凹部２７Ａと凸部２６Ａとを凹凸嵌合させることでボルト２８を軸とした挟持部材２７の回転を防止している。また、パネル体２１にはゴム製等のコ字形のクッション材２９が取り付けられ、パネル体２１の挟持部分での損傷を防止するとともに、その大きな摩擦抵抗によってパネル体２１が長辺方向へずれるのを防止している。
【００２３】
一方、軸材２３は、図６に示すように、支持部材２２との固定がボルト３１によって行われている。なお、図中の二点鎖線で示すように、軸材２３および支持部材２２のボルト３１と対向した位置にキー溝を設けてキー３２を挿入したり、他方から別のボルト３３を螺設することにより、ボルト３１に加わる負荷の一部をキー３２や別のボルト３３に負わせてもよい。
【００２４】
図７には、異なる軸材２３の対向端部に取り付けられるジョイント部材４０、および各軸材２３が支持される支柱１３が示されている。なお、本実施形態では、一本の軸材２３の両端を二本の支柱１３に軸支する場合も同じジョイント部材４０を用いるため、以下には図中の各軸材２３が一本の軸材２３の一端側および他端側であると見なして説明する。
【００２５】
ジョイント部材４０は、軸材２３内に挿入されてボルト４１で固定されるものであり、軸材２３側と支柱１３側とで内径寸法の異なる段付きの挿通孔４２を有している。
【００２６】
両端のジョイント部材４０のうち、一方のジョイント部材４０の挿通孔４２内には、軸材２３側から挿通されたボルト部材４３が配置されている。このボルト部材４３は、頭部分が挿通孔４２の段差部分に係止されて回転可能とされ、切欠部４３Ａをレンチで回転させることにより、支柱１３の出入り方向（建物Ａの内外方向）の中央に設けられた縦溝１３Ａ内に螺合するようになっている。
【００２７】
また、他方のジョイント部材４０側において、支柱１３の縦溝１３Ａ内にはプレート５０がボルト５１によって固定されており、このプレート５０にはジョイント部材４０の挿通孔４２に挿通される芯材５２が設けられている。従って、このジョイント部材４０内には前述したボルト部材４３が設けられていない。
【００２８】
これらのジョイント部材４０を備えた軸材２３は、先ず、前記他方のジョイント部材４０を芯材５２に貫挿させ、次いで、前記一方のジョイント部材４０のボルト部材４３を支柱１３に螺合することで、その両端がボルト部材４３および芯材５２に軸支されて回動可能となり、ルーバー２０全体が回動するようになる。
【００２９】
また、ルーバー２０の回動は、図２、図３に示すように、連杆６０を介して行われる。つまり、水平方向に隣設された一対のルーバー２０において、互いに近接対向する支持部材２２には機能空間１０側に延出した腕部２２Ａ（図４にも図示）が設けられ、連杆６０が各ルーバー２０の両方の腕部２２Ａに連結されている。さらに、連杆６０は上下三段に配置されたルーバー２０おける各段の腕部２２Ａに連結されており、その下端を図示しない油圧あるいは電動シリンダ等に連結し、連杆６０を上下に移動させることで、計六枚のルーバー２０を同時に回動させることが可能である。
【００３０】
さらに、本実施形態では、ブラケット１１の先端間、および支柱１３間には建物Ａ内からの眺望を妨げない高さ位置に太陽電池パネル７０が取り付けられている。この太陽電池パネル７０は、複数の太陽電池セルを二枚のガラス板で挟み込んで構成したパネル体７１を有している。パネル体７１の支持構造はルーバー２０のパネル体２１と略同じである。また、太陽電池パネル７０は回動しない固定式であが、その構造は、例えばブラケット１１や支柱１３に太陽電池パネル７０の回動を止める把持部材等を設ければよく、ここでの詳説を省略する。
【００３１】
このような本実施形態によれば、以下のような効果がある。
▲１▼  ルーバーシステム１では、ルーバー２０を構成する軸材２３が支柱１３の出入り方向の中央に軸支されているため、機能空間１０内に配置される部材を少なくでき、機能空間１０の本来の広さを十分に確保できる。
【００３２】
▲２▼  複数のルーバー２０が連杆６０によって同時に回動するため、各ルーバー２０の角度調整を容易に行え、変化する日射角度に迅速に対応できる。
【００３３】
▲３▼  ルーバー２０のパネル体２１は、単に支持部材２２の載置部２４と挟持部材２７とで挟持されているだけなので、パネル体２１に特別な形状の固定部分を設けたり、パネル体２１の四周をエッジ部材（枠部材）等で囲う必要がなく、パネル体２１を簡単な構造にでき、ルーバー２０を安価に製作してコストを削減できる。
【００３４】
▲４▼  螺合部２６の凸部２６Ａと挟持部材２７の凹部２７Ａとを凹凸嵌合させることにより、挟持部材２７がボルト２８周りで回転しないようになっているため、挟持部材２７のボルト止めを簡単かつ確実に行うことができる。
また、挟持部材２７の取付後においても回転するおそれがないため、パネル体２１が長辺方向へずれるのを確実に防止できる。
【００３５】
▲５▼  パネル体２１にはゴム製等のクッション材２９が取り付けられるため、挟持部分でのパネル体２１の損傷を防止できるとともに、その大きな摩擦抵抗によってパネル体２１が滑るのを防止でき、長辺方向へずれるのをより確実に防止できる。
【００３６】
▲６▼  ルーバー２０は建物Ａ内への日射を確実に遮る位置に設けられているため、建物Ａ内へ入り込む日射量を調整でき、機能空間１０に遮光性を付与できる。
【００３７】
▲７▼  ルーバーシステム１は太陽電池パネル７０を含んで構成されているため、太陽光を利用しての発電を行うことができ、省エネルギー化を促進できる。この際、太陽電池パネル７０は建物Ａ内からの眺望を妨げない高さ位置に設けられているため、良好な眺めを確実に確保できる。
【００３８】
〔第２実施形態〕
図８、図９には、本発明の第２実施形態に係るルーバーシステム２が示されている。なお、本実施形態では、前記第１実施形態で説明した構成部材と同様な部材には同一符号を付し、ここでのそれらの説明を省略または簡略化する。
【００３９】
ルーバーシステム２では、ルーバー２０が各階の上下方向にわたって六段に等間隔で設けられている。
このルーバー２０の支持部材２２は、軸材２３に対して片持ち状態に取り付けられ、軸材２３が柱１３よりも外側の位置で軸支されている。これにより、全てのルーバー２０を下方に回動させれば、各ルーバー２０のパネル体２１が面一になって壁面が形成され、機能空間１０を建物Ａの内外方向に完全に遮蔽することが可能である。
【００４０】
そして、六段に設けられたルーバー２０のうち、上部側三段のルーバー２０Ａに取り付けられたパネル体２１は、第１実施形態と同様に熱線や日射そのものを遮るもので構成され、下部側三段のルーバー２０Ｂのパネル体２１は、透明なガラス板等からなり、全域にわたって良好な透光性を有している。すなわち、上部側のルーバー２０Ａで建物Ａ内へ入り込む日射量を調整し、下部側のルーバー２０Ｂにより、機能空間１０が遮蔽された場合でも建物Ａ内から外側を眺望できるようになっている。
【００４１】
図１０、図１１には、このようなルーバー２０が拡大して示されている。
ルーバー２０の支持部材２２は板状とされ、その上部両端側にはナット部材８１が設けられている。ナット部材８１上に配置されたパネル体２１は、これを貫通するボルト８２によって固定されている（Dot Point Grazing System）。
【００４２】
また、パネル体２１の四周縁には、図１２にも示すように、シリコンゴム等からなる連続した中空のガスケット８３が設けられており、機能空間１０を遮蔽した際にパネル体２１間の隙間をなくしてシール性を確保するとともに、パネル体２１の四周縁を確実に保護している。なお、ガスケット８３の形状は任意であり、例えば図１３に示すような二重のヒレ状タイプでもよい。
【００４３】
ルーバー２０の軸材２３は、支柱１３の外側にボルト８４で固定されたギアボックス８５で軸支されている。軸材２３の一端側には傘歯歯車８６が設けられ、この傘歯歯車８６が上下のギアボックス８５を貫通するシャフト８７の傘歯歯車８８と噛み合っている。シャフト８７は、図９に示すように、下方の別のギアボックス８９に設けられたハンドル９１を回すことで回転し、この回転が各傘歯歯車８６，８８を介して軸材２３に伝達され、上下六段のルーバー２０が同時に回動するようになっている。
【００４４】
このような実施形態では、前記▲１▼、▲６▼の効果を同様に得ることができる。また、構成は異なるが、前記▲２▼の効果も同様に得ることができる。加えて、本実施形態の特有の構成により以下の効果がある
▲８▼  各ルーバー２０の軸材２３が支柱１３の外側で軸支されているため、軸材２３を回動させるシャフト８７も機能空間１０の外側に容易に配置することができる。従って、連杆６０が機能空間１０内に配置されていた第１実施形態に比し、機能空間１０内をより広くできる。また、このルーバー２０は、回動角度に関係なくパネル体２１が支柱１３よりも機能空間１０内にはみ出ない構造であるから、この点からも機能空間１０内を広くできるという効果がある。
【００４５】
▲９▼  軸材２３が支柱１３の外側で軸支されていることにより、全パネル体２１によって機能空間１０を遮蔽可能な外壁を形成することができ、いわゆるダブルスキン構造を実現できる。従って、ペリメータゾーンの熱負荷をより軽減させて熱環境をさらに向上させることができる。
【００４６】
なお、本発明は、前記各実施形態に限定されるものではない。
例えば、前記第１実施形態のルーバー２０では、軸材２３が支柱１３の出入り方向の中央位置に軸支されていたが、そのようなルーバー２０においても、第２実施形態同様、軸材２３を支柱１３の外側で軸支させてもよい。また、この際、支柱１３に外側に張り出したブラケット設け、このブラケットに軸材２３を軸支させてもよい。こうすることにより、前記▲８▼の効果を同様に得ることができるようになる。
【００４７】
反対に、第２実施形態でのルーバー２０を支柱１３の中央位置で軸支させた場合でも本発明に含まれる。そして、このような場合には、各ルーバー２０を全閉状態にすると、水平方向に隣り合うパネル体２１間に支柱１３が介在するようになるため、この支柱１３とパネル体２１間のシール性を確保する必要がある。
【００４８】
さらに、第２実施形態では、各ルーバー２０を全閉した際にパネル体２１同士が面一になるが、このようなルーバー２０の構造としては、支持部材２２が軸材２３に片持ち状態に取り付けられているものに限らず、第１実施形態のような支持部材２２を有するものであってもよい。そして、このような場合にも、例えば支持部材２２とパネル体２１とをDPGS方式で結合し、パネル体２１の四周にガスケット８３を取り付けることができる。
【００４９】
第２実施形態では、ルーバー２０が機能空間１０の上下の全域にわたって設けられ、機能空間１０が建物の内外方向に完全に遮蔽されていたが、例えばルーバー２０を第１実施形態のように配置して機能空間１０の一部を遮蔽してもよい。
【００５０】
また、第２実施形態では、上部側のルーバー２０が遮光性を有し、下部側のルーバー２０が透光性を有していたが、全てのルーバー２０に遮光性を付与したり、透光性を付与してもよく、これらの組み合わせは、その実施にあたって自由に決められてよい。この際、遮光性を有するルーバーとしては、第１実施形態で示した太陽電池パネルを用いてもよい。
【００５１】
そして、ルーバー２０を回動させる機構は、第１、第２実施形態のような連杆６０やシャフト８７を用いたものに限定されず、例えば軸材２３をモータ等で回動させたり、ルーバー２０自身を油圧シリンダー等で直に回動させてもよく、任意である。また、各ルーバー２０を互いに連動させる必要はなく、個別に回動させてもよい。
さらに、本発明に係るルーバーとしては、固定式のものも含まれる。
【００５２】
【発明の効果】
以上に述べたように、本発明のルーバーシステムによれば、ルーバーの取付軸が機能空間側にはみ出ない位置で支持されているため、機能空間内には取付軸を支持するための多くの構成部材を配置する必要がなくなり、機能空間本来の広さを確保できるという効果がある。
【００５３】
また、本発明のルーバーシステムに用いられるルーバーによれば、パネル体が単に支持部材の載置部と挟持部材とで挟持されているだけなので、パネル体の固定箇所を特別な形状にする必要がないなど、構造を簡単にでき、ルーバーを安価に製作してコストを削減できるという効果がある。
【図面の簡単な説明】
【図１】本発明の第１実施形態に係るルーバーシステムを示す全体斜視図である。
【図２】第１実施形態のルーバーシステムを示す縦断面図である。
【図３】第１実施形態のルーバーシステムを建物側から見た斜視図である。
【図４】第１実施形態の構成部材を示す斜視図である。
【図５】前記構成部材の要部を示す分解斜視図である。
【図６】前記構成部材の別の要部を示す断面図である。
【図７】前記構成部材の取付構造を示す分解斜視図である。
【図８】本発明の第２実施形態に係るルーバーシステムを示す正面図である。
【図９】第２実施形態のルーバーシステムを示す縦断面図である。
【図１０】  第２実施形態を拡大して示す縦断面図である。
【図１１】第２実施形態を拡大して示す横断面図である。
【図１２】第２実施形態の構成部材を示す断面図である。
【図１３】第２実施形態の前記構成部材の変形例を示す断面図である。
【符号の説明】
１，２…ルーバーシステム、１０…機能空間、１３…支柱、２０…ルーバー、２１…パネル体、２２…支持部材、２３…取付軸としての軸材、２４…載置部、２７…挟持部材、７０…太陽電池パネル、Ａ…建物、Ｂ…外壁、Ｄ…開口部としてのビジョン部。
【図１】
0003784527.tif 000002
【図２】
0003784527.tif 000003
【図３】
0003784527.tif 000004
【図４】
0003784527.tif 000005
【図５】
0003784527.tif 000006
【図６】
0003784527.tif 000007
【図７】
0003784527.tif 000008
【図８】
0003784527.tif 000009
【図９】
0003784527.tif 000010
【図１０】
0003784527.tif 000011
【図１１】
0003784527.tif 000012
【図１２】
0003784527.tif 000013
【図１３】
0003784527.tif 000014